(57)【特許請求の範囲】
【請求項１】
頭部を有する被装飾体と、前記被装飾体に取付可能かつ被服を纏った首下胴体を模した装飾体と、前記装飾体を収容する箱体と、を有し、
前記被装飾体の頭部からは、外方に向けて胴体手足を模した挿入部が突出形成されており、
前記装飾体には、前記挿入部を挿抜自在な挿入孔が形成されるとともに、
前記箱体には、前記装飾体の挿入孔が露出するように開口部が形成されており、
前記挿入孔に前記挿入部を挿入した上で前記箱体を取り除くことにより、前記被装飾体と前記装飾体とを結合して取り出し可能に形成されていることを特徴とする、組み立て玩具。
【請求項２】
前記箱体を水平方向に分解することにより、結合した前記被装飾体及び前記装飾体を取り出し可能であることを特徴とする、請求項１記載の組み立て玩具。
【請求項３】
前記箱体は、複数段の箱部材を積み重ねて形成され、前記複数段の箱部材のそれぞれに前記装飾体を構成する装飾体構成部材が収容されていることを特徴とする、請求項１又は２記載の組み立て玩具。
【請求項４】
前記挿入部は、前記装飾体を構成するすべての前記装飾体構成部材を串刺し状に連結可能であることを特徴とする、請求項３記載の組み立て玩具。
【請求項５】
前記箱部材は、他の箱部材と連結するための連結部を有していることを特徴とする、請求項３又は４記載の組み立て玩具。
【発明の詳細な説明】
【技術分野】
【０００１】
この発明は、頭部を有する被装飾体に装飾体を取付可能に形成した組み立て玩具に関するものである。
【背景技術】
【０００２】
従来、複数のパーツを組み合わせて人形などを組み立てる玩具が知られている。
【０００３】
例えば、特許文献１には、複数の立体ピース等から組み立てられるパズル型フィギュアの発明が開示されている。
【先行技術文献】
【特許文献】
【０００４】
【特許文献１】特開２００４−３０５２７５号公報
【発明の概要】
【発明が解決しようとする課題】
【０００５】
しかし、上記したような従来の組み立て玩具は、構成部材を直接結合するものであり、組み立て後の外観が視認できてしまうため、意外性がないものとなっていた。
【０００６】
そこで、本発明は、組み立て後の外観が最後まで視認できず、意外性のある組み立て玩具を提供することを課題とする。
【課題を解決するための手段】
【０００７】
本発明は、上記した課題を解決するためになされたものであり、以下を特徴とする。
【０００８】
（請求項１）
請求項１に記載の発明は、以下の点を特徴とする。
【０００９】
すなわち、請求項１に記載の組み立て玩具は、頭部を有する被装飾体と、前記被装飾体に取付可能かつ被服を纏った首下胴体を模した装飾体と、前記装飾体を収容する箱体と、を有し、前記被装飾体の頭部からは、外方に向けて胴体手足を模した挿入部が突出形成されており、前記装飾体には、前記挿入部を挿抜自在な挿入孔が形成されるとともに、前記箱体には、前記装飾体の挿入孔が露出するように開口部が形成されており、前記挿入孔に前記挿入部を挿入した上で前記箱体を取り除くことにより、前記被装飾体と前記装飾体とを結合して取り出し可能に形成されていることを特徴とする。
【００１０】
（請求項２）
請求項２に記載の発明は、上記した請求項１記載の発明の特徴点に加え、以下の点を特徴とする。
【００１１】
すなわち、前記箱体を水平方向に分解することにより、結合した前記被装飾体及び前記装飾体を取り出し可能であることを特徴とする。
【００１２】
（請求項３）
請求項３に記載の発明は、上記した請求項１又は２記載の発明の特徴点に加え、以下の点を特徴とする。
【００１３】
すなわち、前記箱体は、複数段の箱部材を積み重ねて形成され、前記複数段の箱部材のそれぞれに前記装飾体を構成する装飾体構成部材が収容されていることを特徴とする。
【００１４】
（請求項４）
請求項４に記載の発明は、上記した請求項３記載の発明の特徴点に加え、以下の点を特徴とする。
【００１５】
すなわち、前記挿入部は、前記装飾体を構成するすべての前記装飾体構成部材を串刺し状に連結可能であることを特徴とする。
【００１６】
（請求項５）
請求項５に記載の発明は、上記した請求項３又は４記載の発明の特徴点に加え、以下の点を特徴とする。
【００１７】
すなわち、前記箱部材は、他の箱部材と連結するための連結部を有していることを特徴とする。
【発明の効果】
【００１８】
請求項１に記載の発明は上記の通りであり、装飾体が箱体に収容されているため、この状態では装飾体は外部から視認できない。そして、装飾体の挿入孔に被装飾体の挿入部を挿入した上で箱体を取り除くことにより、被装飾体と装飾体とを結合して取り出し可能に形成されているため、箱体を取り除いたときに初めて装飾体が視認できる。よって、組み立て後の外観が最後まで視認できず、意外性のある組み立て玩具を提供することができる。
【００１９】
また、被装飾体と装飾体とが別体として設けられているため、複数の被装飾体及び装飾体を組み合わせて遊ぶことができ、様々なバリエーションを有する、意外性のある組み立て玩具を提供することができる。
【００２０】
また、箱体の外観と、この箱体に収容された装飾体と、の間に関連性を持たせることとすれば、玩具で遊ぶ者は、装飾体の形態を想像しつつ組み立てることができ、また、組み立て後に初めて外観を視認できるため、想像しつつ遊ぶ楽しさを得ることができる。
【００２１】
また、請求項２に記載の発明は上記の通りであり、前記箱体を水平方向に分解することにより、結合した前記被装飾体及び前記装飾体を取り出し可能に形成されている。このため、結合した玩具の取り出しが容易であるとともに、遊び終わった後においては、装飾体の箱体への収容も容易である。
【００２２】
また、請求項３に記載の発明は上記の通りであり、前記箱体は、複数段の箱部材を積み重ねて形成され、前記複数段の箱部材のそれぞれに前記装飾体を構成する装飾体構成部材が収容されているため、装飾体の組み合わせも楽しめる組み立て玩具を提供することができる。
【００２３】
また、請求項４に記載の発明は上記の通りであり、前記挿入部は、前記装飾体を構成するすべての前記装飾体構成部材を串刺し状に連結可能に形成されているため、装飾体構成部材を連結するための部材を設ける必要がない。
【００２４】
また、請求項５に記載の発明は上記の通りであり、前記箱部材は、他の箱部材と連結するための連結部を有しているため、複数段の箱部材を容易に積み重ねることができる。
【図面の簡単な説明】
【００２５】
【図１】組み立て玩具の外観斜視図である。
【図２】組み立て玩具の内部を示す説明図である。
【図３】被装飾体を装飾体に取り付ける様子を示す説明図である。
【図４】被装飾体の挿入部及び装飾体の挿入孔の形状を説明する図であり、（ａ）は正面図、（ｂ）は（ａ）におけるＸ−Ｘ'断面図である。
【図５】装飾体を収容した箱体の外観斜視図である。
【図６】装飾体及び箱体の分解斜視図である。
【図７】装飾体を収容した箱体内部を示す説明図である。
【図８】箱体と装飾体との組み合わせを示す説明図である。
【図９】箱体を複数段の箱部材で形成した変形例に係る組み立て玩具の説明図である。
【発明を実施するための形態】
【００２６】
本発明の実施形態について図を参照しながら説明する。
【００２７】
本実施形態に係る組み立て玩具１０は、図１及び図２に示すように、頭部１２を有する被装飾体１１と、前部材２２及び後部材２３からなる箱体２０と、前記箱体２０に収容された装飾体３０と、を有している。
【００２８】
被装飾体１１は、図３に示すように、人形の形象を模したものであり、頭部１２の下方から、胴体手足を模した挿入部１３が突出形成されている。そして、この挿入部１３を後述する装飾体３０の挿入孔３１に挿入することにより、装飾体３０と合体可能に形成されている。
【００２９】
装飾体３０は、図３に示すように、被服を纏った首下胴体を模したものである。この装飾体３０の上部には、前記挿入部１３を挿抜自在な挿入孔３１が形成されている。この挿入孔３１は前述した挿入部１３がとほぼ同じ長さ及び径に形成されているため、この挿入孔３１の下端部３２まで挿入部１３を挿入すると、図４（ａ）に示すように、装飾体３０の上に被装飾体１１の頭部１２が載置された状態となり、被服を纏った人形の形態となる。
【００３０】
なお、図４（ｂ）に示すように、挿入孔３１の内周壁には、挿入部１３の回転を防ぐとともに、挿入部１３の挿抜動作を案内する縦筋状のガイド３１ａが形成されており、挿入部１３はこのガイド３１ａに沿って挿抜される。このため、被装飾体１１と装飾体３０とを合体させたときに、被装飾体１１の正面と装飾体３０の正面とを容易に合致させることができるとともに、被装飾体１１と装飾体３０との相対回転を防止し、被装飾体１１の正面と装飾体３０の正面とが合致した状態で固定されるようになっている。
【００３１】
ところで、上述した装飾体３０は、図５に示すように、箱体２０に収容された状態ではその形態が外部から視認できないようになっており、わずかに挿入孔３１の入口が箱体２０上部に設けられた開口部２１から露出しているのみである。
【００３２】
箱体２０は、図６に示すように、前部材２２と後部材２３とからなり、この前部材２２と後部材２３とを水平方向に分解することにより、内部に収容した装飾体３０を取り出し可能に形成されている。このため、挿入孔３１に挿入部１３を挿入して被装飾体１１と装飾体３０とを合体させた上で箱体２０を分解すれば、結合した被装飾体１１及び装飾体３０を取り出せるようになっている。
【００３３】
なお、このように取り出した装飾体３０は、箱体２０を分解した上で箱体２０内部に収容し直すことができる。すなわち、装飾体３０を箱体２０内部に収容するには、図６に示すように、箱体２０を分解した上で後部材２３に装飾体３０を嵌め込む。このとき、後部材２３の脇固定部２４の突起が、装飾体３０の左右に穿たれた脇孔３３を貫通するように配置する。そして、前部材２２の嵌合凸部２２ａを後部材２３の嵌合凹部２３ａに嵌合させる。
【００３４】
このように装飾体３０を箱体２０内部に収容すると、図７に示すように、箱体２０の脚固定部２５が装飾体３０の脚部３４を保持し、箱体２０の足固定部２６が装飾体３０の足部３５を保持する。これにより、箱体２０内部に収容された装飾体３０が、箱体２０上部の開口部２１から挿入孔３１の入口が露出させた状態で、しっかりと固定される。
【００３５】
本実施形態に係る組み立て玩具１０は以上のように構成されているため、箱体２０内部に収容した装飾体３０の挿入孔３１が箱体２０上部の開口部２１から露出しており、この挿入孔３１に被装飾体１１の挿入部１３を挿入すると、被装飾体１１と装飾体３０とを結合することができる。そして、箱体２０を分解すれば、結合した被装飾体１１及び装飾体３０を取り出すことができる。
【００３６】
このとき、装飾体３０を箱体２０内部に収容した状態では、装飾体３０が外部から視認できないため、箱体２０を取り除いたときに初めて装飾体３０が視認できる。このため、単に被装飾体１１と装飾体３０とを合体させるのではなく、意外性のある組み立て玩具１０となっている。
【００３７】
また、被装飾体１１と装飾体３０とが別体として設けられているため、複数の被装飾体１１及び装飾体３０を組み合わせて遊ぶことができる。例えば、装飾体３０として複数の衣装を表したものを用意すれば、これら装飾体３０を適宜付け替えることで、着せ替え人形として遊ぶことができる。このとき、箱体２０の外観と、この箱体２０に収容された装飾体３０と、の間に関連性を持たせることとしてもよい。例えば、図８（ａ）に示すように、パトカーの外観を有する箱体２０に婦人警官の衣装を纏った装飾体３０を収容したり、保育園の外観を有する箱体２０に保母さんの衣装を纏った装飾体３０を収容したりすれば、箱体２０の外観から装飾体３０の外観を想像しつつ組み立てて遊ぶことができる。
【００３８】
なお、上記した実施形態においては、箱体２０は、前部材２２と後部材２３とからなるとしたが、これに限らない。例えば、図９に示すように、箱体２０を、複数段の箱部材４０を積み重ねて形成することとしてもよい。この場合の装飾体３０は、複数の装飾体構成部材４２を組み合わせるものとし、これら複数の装飾体構成部材４２は前記複数段の箱部材４０のそれぞれに収容されることとすればよい。このように構成すれば、箱部材４０の組み合わせによって装飾体３０の構成を変化させることができ、更に意外性のある組み立て玩具１０を提供できる。
【００３９】
なお、装飾体３０が複数の装飾体構成部材４２からなる場合、これら複数の装飾体構成部材４２を連結する方法としては、挿入部１３で串刺し状に連結することが考えられる。このようにすれば、装飾体構成部材４２同士を連結するための部材を設ける必要がない。
【００４０】
また、箱体２０が複数の箱部材４０からなる場合、箱部材４０に他の箱部材４０と連結するための連結部４１を設ければ、複数段の箱部材４０を容易に積み重ねることができる。この連結部４１は、例えば図９に示すように、上下で嵌合する凸部と凹部として設けることができる。
【００４１】
また、上記した実施形態においては、被装飾体１１は人形の形象を模したものであり、装飾体３０は被服を纏った首下胴体を模したものであるとしたが、これに限らない。すなわち、任意の形象の玩具に適用でき、例えば、乗物の形象を模した被装飾体１１と、当該乗物を装飾する装飾体３０との組み合わせとすることができる。また、動物の形象を模した被装飾体１１と、当該動物を装飾する装飾体３０との組み合わせとしてもよい。
【符号の説明】
【００４２】
１０  組み立て玩具
１１  被装飾体
１２  頭部
１３  挿入部
１３ａ  突端部
２０  箱体
２１  開口部
２２  前部材
２２ａ  嵌合凸部
２３  後部材
２３ａ  嵌合凹部
２４  脇固定部
２５  脚固定部
２６  足固定部
３０  装飾体
３１  挿入孔
３１ａ  ガイド
３２  下端部
３３  脇孔
３４  脚部
３５  足部
４０  箱部材
４１  連結部
４２  装飾体構成部材
【図１】
0005492678.tif 000002
【図２】
0005492678.tif 000003
【図３】
0005492678.tif 000004
【図４】
0005492678.tif 000005
【図５】
0005492678.tif 000006
【図６】
0005492678.tif 000007
【図７】
0005492678.tif 000008
【図８】
0005492678.tif 000009
【図９】
0005492678.tif 000010